(57)【要約】      （修正有）【課題】手持ち工具の２つの枢動可能に固定されたハンドル用の保持機構を提供する。【解決手段】手持ち工具に使用する保持機構であって、互いに枢動可能に連結された第１および第２ハンドル部１、２と、歯止めラチェット機構とを含む。歯が形成された台５が第１ハンドル部１に取り付けられた第１腕部４に設けられ、歯止め６が第２ハンドル部２に取り付けられた第２腕部７の自由端に設けられ、第１および第２腕部の少なくとも１つが弾性を有する。ハンドル部を互いに押し合わせると、第１および第２腕部４、７は、互いに隣接するように移動する。【選択図】図１
2010260169.tif 000002
【特許請求の範囲】
【請求項１】
枢動可能に相互に連結された第１および第２ハンドル部（１、２）と、歯止めラチェット機構とを含み、この歯止めラチェット機構は、第１ハンドル部（１）に取り付けられ、かつ、第２ハンドル部（２）の方に延びた第１腕部（４）に配された歯が形成された台（５）と、第２ハンドル部（２）に取り付けられ、かつ、第１ハンドル部（１）の方に延びた第２腕部（７）の自由端に配され、ハンドル部（１、２）が互いに押し合わされると前記歯が形成された台と係合する歯止め（６）とを含み、第１および第２腕部（４、７）の少なくとも１つが弾性を有し、前記ハンドル部が互いに押し合わされると第１および第２腕部（４、７）が互いに隣接するように移動する手持ち工具に使用される保持機構において、第２腕部（７）の外方端部が第１案内面（８）として形成され、第１腕部（４）の外方端部が第２腕部の第１案内面に適合した第２案内面（９）として形成され、ハンドル部（１、２）を互いに押し合わせるとこれら第１および第２案内面が歯止め（６）を歯が形成された台（５）上に案内し、歯が形成された台は、その内方端部に第３案内面（１０）を有し、歯止め（６）が歯が形成された台の端部に到達し、ハンドル部が解除されると、前記第３案内面が歯止め（６）を歯が形成された台（５）の横方向に突出した部分（１２）の下側の滑らかな面（５’）上に案内することを特徴とする保持機構。
【請求項２】
歯止め（６）が第２腕部（７）と一体に形成されていることを特徴とする請求項１記載の保持機構。
【請求項３】
前記少なくとも１つの弾性を有する腕部（７）が、歯止め（６）が歯が形成された台（５）の歯の間で停止している際に、歯止めと歯が形成された台（５）との係合を手動で解除するための横方向に突出したタブ（１３）を有することを特徴とする請求項１または２記載の保持機構。
【請求項４】
歯止め（６）を支持している第２腕部（７）が弾性を有することを特徴とする請求項１乃至３いずれか１項記載の保持機構。
【発明の詳細な説明】
【技術分野】
【０００１】
本発明は、枢動可能に相互に連結された第１および第２ハンドル部と、歯止めラチェット機構とを含み、この歯止めラチェット機構は、第１ハンドル部に取り付けられ、かつ、第２ハンドル部の方に延びた第１腕部に配された歯が形成された台と、第２ハンドル部に取り付けられ、かつ、第１ハンドル部の方に延びた第２腕部の自由端に配され、ハンドル部が互いに押し合わされると歯が形成された台と係合する歯止めとを含み、第１および第２腕部の少なくとも１つが弾性を有し、ハンドル部が互いに押し合わされると第１および第２腕部が互いに隣接するように移動する手持ち工具に使用される保持機構に関する。
【背景技術】
【０００２】
圧着工具などの手持ち工具には多くの場合、歯止めラチェット機構が備えられており、その目的は意図した作業サイクルを確実に完了することである。これらの歯止めラチェット機構によって得られる利点は、これらの機構が工具の握りを解除した際にそのハンドル部を締め付けた状態に維持することが可能になるということである。これを達成するための多くの技術的解決策が知られているが、これらの多くは、かなり複雑である。これにより製造コストおよび組み立てコストがかさむ。
【０００３】
市販されている工具の別の欠点は、工具の握りを緩めるためにハンドルを作業サイクルの完了に対応する所定の相対位置に押し合わせて保持機構を解除しなければならいということである。
【０００４】
従って保持機構の改良が必要とされている。
【発明の概要】
【発明が解決しようとする課題】
【０００５】
本発明の目的は、従来の欠陥が緩和された手持ち工具の２つの枢動可能に固定されたハンドル用の改良された保持機構を提供することである。
【課題を解決するための手段】
【０００６】
この目的および他の目的は、第２腕部の外方端部が第１案内面として形成され、第１腕部の外方端部が第２腕部の第１案内面に適合した第２案内面として形成され、ハンドル部を押し合わせるとこれら第１および第２案内面が歯止めを歯が形成された台上に案内し、歯が形成された台は、その内方端部に第３の案内面を有し、歯止めが歯が形成された台の端部に到達し、ハンドル部が解除されると、前記第３案内面が歯止めを歯が形成された台の横方向に突出した部分の下側の滑らかな面上に案内する保持機構によって達成される。
【０００７】
本発明の好ましい態様では歯止めが第２腕部と一体に形成されている。
【０００８】
また好ましくは少なくとも１つの弾性を有する腕部が、歯止めが歯が形成された台の歯の間で停止している際に、歯止めと歯が形成された台との係合を手動で解除するための横方向に突出したタブを有する。
【０００９】
好ましくは歯止めを支持している第２腕部が弾性を有する。
【００１０】
本発明を添付図面を参照した好ましい態様に基づいて以下に具体的に説明する。
【図面の簡単な説明】
【００１１】
【図１】本発明による保持機構の一態様の略式斜視図である。
【図２】図１に示す機構の略式側面図である。
【図３】本発明による保持手段を組み込んだ手持ち工具の略式側面図である。
【発明を実施するための形態】
【００１２】
本発明による保持機構は、種々のペンチなどの手持ち工具、特に２つのハンドルが互いに枢動自在に連結された圧着工具に使用されるように設計されている。
【００１３】
図１および図２において本発明の保持機構は、第１ハンドル部１および第２ハンドル部２として例示されている。これらハンドル部は、ピボットピンによって互いに連結されている。工具に応じて、ハンドルはピボット連結の裏側では異なる形態および形状になる。手持ち圧着工具は、一例として図３に例示したが、本発明の概念は、圧着工具に限定されない。
【００１４】
従って本発明による保持機構は、これら２つのハンドル部１および２と、これらハンドル部の間で作用する歯止めラチェット機構とを含む。
【００１５】
第１のハンドル部１には歯が形成された台５を支持する第１腕部４が設けられ、この台はこの腕部の一部に亘って延び、第１ハンドル部１と台５の間に何も設けられていない部分が残されている。第２ハンドル部２には第２腕部７が設けられ、この第２腕部に歯止め６が取り付けられている、または一体部材として形成されている。従って歯止めと第２腕部は、実際には１つの同じ部材であり、これは従来技術に対する重要な改良点である。
【００１６】
歯が形成された台を支持する第１腕部４は、ピボットピン３を中心にしたハンドル部の回転運動に対応して湾曲しているのが好ましい。
【００１７】
好ましい態様では図１および２に示すように歯が形成された台は、第１腕部を越えて横方向（符号１２に示すように）に突出し、歯の裏側に均一な面５’を形成している。
【００１８】
第１腕部４の端部には歯が形成された台に向かって上方に傾斜した第１案内面９が配置されている。第２腕部７の端部には上方に向いた対応する第２案内面８が形成されている。
【００１９】
これらの腕部は、その長手方向軸が互いに平行でかつオフセットした状態でハンドル部に配置されているので、これらハンドル部を互いの方に押し合わせると、これら腕部は、互いに隣接するように移動する。歯止めが可撓性の腕部から横方向に延びているので、歯止めは歯が形成された台状に滑りながら登り、ハンドル部が押し合わされると歯止めは歯が設けられた台の上を１つずつ飛び越え、そしてハンドルが解除されると歯止めは、歯の１つの上で停止する。
【００２０】
上記第１および第２腕部４、７の少なくとも１つは、弾性を有する。図面に例示された好ましい態様では歯止め６が組み込まれた第２腕部が弾性を有する。しかしながら、本発明では歯が形成された台を支持する腕部が弾性を有する腕部であってもよく、または両方の腕部が弾性を有するものであってもよい。
【００２１】
弾性腕部が曲げられ、歯止めが歯が形成された台上に案内されると、腕部は弾性力を呈し、歯が形成された台と歯止めとの接触を維持するために充分な力で歯止めが歯に対して付勢される。
【００２２】
歯が設けられた台の内方端部に第３案内面１０が配置されている。歯止めが台の最後の歯を越えると、弾性力によって歯止めがこの第３案内面に沿って移動し、ハンドル部が再び自由になり、互いに離れるように移動することができる。このハンドル部が戻る間、歯止めはその滑らかな面に沿って自由に移動する。歯止めは弾性アームからの緊張を受けずに移動する、または弾性腕部は滑らかな面に対して小さい力を作用させ、これにより第３案内面が上述した硬質腕部の端部の第２案内面と重なる。
【００２３】
好ましくは溝１１が第２ハンドル部２に設けられ、ハンドル部が互いに押し合わされ、また元に戻る際にこの溝内で歯が形成された台の突出部１２が自由に移動することができる。
【００２４】
図に例示した態様において、歯が形成された台は硬質腕部４の内側、即ちハンドル部１、２間のピボット連結部に面した側に設けられている。しかしながら、歯止めを歯が形成された台上に下方へと、そしてその後歯が形成された台から反対の側の滑らかな面上に上方へと案内するために案内面を適応させて歯が形成された台を硬質腕部の外側に設けることも可能である。
【００２５】
図１および３を参照すると、横方向に突出したタブ１３が弾性腕部に設けられている。このタブ１３によってあらゆる時点、例えば圧着作業中に歯止めを歯が形成された台との係合から手動で解除することができる。タブ１３は、歯止めに隣接して配置してもよく、または図３に例示したように弾性腕部の歯止めから離れた位置に配置してもよい。
【００２６】
図３は圧着工具１４と関連させて保持機構を例示している。コイルバネ１５が第１ハンドル部１、２の間に配されている。歯止め６が歯が形成された台の最後の歯を通過し、ハンドルの握りが解除されると、コイルバネ１５が第１ハンドル部１、２を互いに離れるように押し、歯止めが第３案内面に沿って滑り、工具は使用前の状態に戻る。
【図１】
2010260169.tif 000003
【図２】
2010260169.tif 000004
【図３】
2010260169.tif 000005